【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  外部からエネルギーを供給されたときに信号を送信又は受信すると共に、情報を記憶できるタグを用いて、複数のロッカーの利用を管理するシステムであって、
ロック機構を有する複数のロッカーと、
各々のロッカーに設置された送受信部であって、前記タグにエネルギーを供給して、前記タグから送信される信号を受信すると共に前記タグに向けて信号を送信する前記送受信部と、
インターフェースを介して前記複数のロッカーと接続された管理部であって、前記タグからいずれかのロッカーの送受信部に送信されたタグＩＤ番号を入力し、当該ロッカーがロックされていないときには、当該ロッカーのロッカー番号に対応してタグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる前記管理部と、
を具備するロッカー管理システム。
【請求項２】  各々のロッカーに設置された入力部であって、情報を入力するために用いられる前記入力部をさらに具備し、
前記管理部が、前記タグからいずれかのロッカーの送受信部に送信されたタグＩＤ番号と、当該ロッカーの入力部に入力された暗証番号とを入力し、当該ロッカーがロックされていないときには、当該ロッカーのロッカー番号に対応してタグＩＤ番号及び暗証番号を記憶すると共に、所定の条件を満たす場合に当該ロッカーのロック機構に当該ロッカーをロックさせ、当該ロッカーがロックされているときには、入力されたタグＩＤ番号及び暗証番号が記憶されているタグＩＤ番号及び暗証番号とそれぞれ一致する場合に当該ロッカーのロック機構に当該ロッカーのロックを解除させる、
請求項１記載のロッカー管理システム。
【請求項３】  前記管理部が、当該ロッカーがロックされていないときに、所定の条件を満たす場合に当該ロッカーのロッカー番号を当該ロッカーの送受信部から前記タグに送信して前記タグに記憶させる、請求項１又は２記載のロッカー管理システム。
【請求項４】  前記管理部が、当該ロッカーがロックされていないときに、他のロッカー番号に対応して前記タグのタグＩＤ番号が記憶されていない場合に限り、当該ロッカーのロック機構に当該ロッカーをロックさせる、請求項１〜３のいずれか１項記載のロッカー管理システム。
【請求項５】  外部からエネルギーを供給されたときに信号を送信又は受信すると共に、情報を記憶できるタグを用いて、ロッカーの利用を管理し施解錠を行うロッカー錠装置であって、
前記ロッカーを施解錠するロック機構と、
前記ロッカー錠装置に設置された送受信部であって、前記タグにエネルギーを供給して、前記タグから送信される信号を受信すると共に前記タグに向けて信号を送信する前記送受信部と、
前記ロッカーに固有のロッカー番号などの情報を記憶する記憶部と、
前記ロック機構を制御する制御部であって、前記タグから前記ロッカー錠装置の送受信部に送信されたタグＩＤ番号を入力し、前記ロッカーがロックされていないときには、前記ロッカーのロッカー番号に対応して前記タグＩＤ番号を前記記憶部に記憶すると共に、所定の条件を満たす場合に前記ロッカー錠装置の前記ロック機構に前記ロッカーをロックさせ、前記ロッカーがロックされているときには、入力されたタグＩＤ番号が記憶されているタグＩＤ番号と一致する場合に前記ロッカー錠装置のロック機構に前記ロッカーのロックを解除させる前記制御部と、
を具備するロッカー錠装置。
【請求項６】  前記ロッカー錠装置に設置された入力部であって、情報を入力するために用いられる前記入力部をさらに具備し、
前記制御部が、前記タグから前記ロッカー錠装置の送受信部に送信されたタグＩＤ番号と、前記ロッカー錠装置の入力部に入力された暗証番号とを入力し、前記ロッカーがロックされていないときには、前記ロッカーのロッカー番号に対応してタグＩＤ番号及び暗証番号を前記記憶部に記憶すると共に、所定の条件を満たす場合に前記ロッカー錠装置の前記ロック機構に前記ロッカーをロックさせ、前記ロッカーがロックされているときには、入力されたタグＩＤ番号及び暗証番号が前記記憶部に記憶されているタグＩＤ番号及び暗証番号とそれぞれ一致する場合に前記ロッカー錠装置の前記ロック機構に前記ロッカーのロックを解除させる、
請求項５記載のロッカー錠装置。
【請求項７】  前記制御部が、前記ロッカーがロックされていないときに、所定の条件を満たす場合に前記ロッカーのロッカー番号を前記ロッカー錠装置の送受信部から前記タグに送信して前記タグに記憶させる、請求項５又は６記載のロッカー錠装置。
【請求項８】  前記制御部は、前記ロッカーがロックされていないときに、前記タグから前記ロッカー錠装置の前記送受信部を介して、前記タグのタグＩＤ番号とともに既に他のロッカー番号が前記タグに記憶されているか否かを読み取り、前記他のロッカー番号が前記タグに記憶されていない場合に限り、前記ロッカー錠装置の前記ロック機構に前記ロッカーをロックさせる、請求項７記載のロッカー錠装置。
【請求項９】  外部からエネルギーを供給されたときに信号を送信又は受信すると共に、情報を記憶できるタグを用いて、複数のロッカーの利用を管理する方法であって、前記タグにエネルギーを供給して、前記タグからいずれかのロッカーの送受信部に送信されたタグＩＤ番号を入力するステップ（ａ）と、
当該ロッカーがロックされていないときに、当該ロッカーのロッカー番号に対応してタグＩＤ番号を記憶すると共に、所定の条件を満たす場合に当該ロッカーのロック機構に当該ロッカーをロックさせるステップ（ｂ）と、
当該ロッカーがロックされているときに、入力されたタグＩＤ番号が記憶されているタグＩＤ番号と一致する場合に当該ロッカーのロック機構に当該ロッカーのロックを解除させるステップ（ｃ）と、
を具備するロッカー管理方法。
【請求項１０】  当該ロッカーの入力部に入力された暗証番号を入力するステップをさらに具備し、
ステップ（ｂ）が、当該ロッカーがロックされていないときに、当該ロッカーのロッカー番号に対応してタグＩＤ番号及び暗証番号を記憶することを含み、
ステップ（ｃ）が、当該ロッカーがロックされているときに、入力されたタグＩＤ番号及び暗証番号が記憶されているタグＩＤ番号及び暗証番号とそれぞれ一致する場合に当該ロッカーのロック機構に当該ロッカーのロックを解除させることを含む、
請求項９記載のロッカー管理方法。
【請求項１１】  ステップ（ｂ）が、当該ロッカーがロックされていないときに、所定の条件を満たす場合に当該ロッカーのロッカー番号を当該ロッカーの送受信部から前記タグに送信して前記タグに記憶させることを含む、請求項９又は１０記載のロッカー管理方法。
【請求項１２】  ステップ（ｂ）が、当該ロッカーがロックされていないときに、他のロッカー番号に対応して前記タグのタグＩＤ番号が記憶されていない場合に限り、当該ロッカーのロック機構に当該ロッカーをロックさせることを含む、請求項９〜１１のいずれか１項記載のロッカー管理方法。
【請求項１３】  外部からエネルギーを供給されたときに信号を送信又は受信すると共に、情報を記憶できるタグを用いて、複数のロッカーの利用を管理するために用いるプログラムであって、
前記タグにエネルギーを供給して、前記タグからいずれかのロッカーの送受信部に送信されたタグＩＤ番号を入力する手順（ａ）と、
当該ロッカーがロックされていないときに、当該ロッカーのロッカー番号に対応してタグＩＤ番号を記憶すると共に、所定の条件を満たす場合に当該ロッカーのロック機構に当該ロッカーをロックさせる手順（ｂ）と、
当該ロッカーがロックされているときに、入力されたタグＩＤ番号が記憶されているタグＩＤ番号と一致する場合に当該ロッカーのロック機構に当該ロッカーのロックを解除させる手順（ｃ）と、
をＣＰＵに実行させるロッカー管理プログラム。
【請求項１４】  当該ロッカーの入力部に入力された暗証番号を入力する手順をさらに具備し、
手順（ｂ）が、当該ロッカーがロックされていないときに、当該ロッカーのロッカー番号に対応してタグＩＤ番号及び暗証番号を記憶することを含み、
手順（ｃ）が、当該ロッカーがロックされているときに、入力されたタグＩＤ番号及び暗証番号が記憶されているタグＩＤ番号及び暗証番号とそれぞれ一致する場合に当該ロッカーのロック機構に当該ロッカーのロックを解除させることを含む、
請求項１３記載のロッカー管理プログラム。
【請求項１５】  手順（ｂ）が、当該ロッカーがロックされていないときに、所定の条件を満たす場合に当該ロッカーのロッカー番号を当該ロッカーの送受信部から前記タグに送信して前記タグに記憶させることを含む、請求項１３又は１４記載のロッカー管理プログラム。
【請求項１６】  手順（ｂ）が、当該ロッカーがロックされていないときに、他のロッカー番号に対応して前記タグのタグＩＤ番号が記憶されていない場合に限り、当該ロッカーのロック機構に当該ロッカーをロックさせることを含む、請求項１３〜１５のいずれか１項記載のロッカー管理プログラム。
【手続補正２】
【補正対象書類名】明細書
【補正対象項目名】０００５
【補正方法】変更
【補正の内容】
【０００５】
【課題を解決するための手段】
上記課題を解決するため、本発明に係るロッカー管理システムは、外部からエネルギーを供給されたときに信号を送信又は受信すると共に、情報を記憶できるタグを用いて、複数のロッカーの利用を管理するシステムであって、ロック機構を有する複数のロッカーと、各々のロッカーに設置された送受信部であって、タグにエネルギーを供給して、該タグから送信される信号を受信すると共に該タグに向けて信号を送信する送受信部と、インターフェースを介して複数のロッカーと接続された管理部であって、タグからいずれかのロッカーの送受信部に送信されたタグＩＤ番号を入力し、当該ロッカーがロックされていないときには、当該ロッカーのロッカー番号に対応してタグＩＤ番号を記憶すると共に、所定の条件を満たす場合に当該ロッカーのロック機構に当該ロッカーをロックさせ、当該ロッカーがロックされているときには、入力されたタグＩＤ番号が記憶されているタグＩＤ番号と一致する場合に当該ロッカーのロック機構に当該ロッカーのロックを解除させる管理部とを具備する。
また、本発明に係るロッカー錠装置は、外部からエネルギーを供給されたときに信号を送信又は受信すると共に、情報を記憶できるタグを用いて、ロッカーの利用を管理し施解錠を行うロッカー錠装置であって、ロッカーを施解錠するロック機構と、ロッカー錠装置に設置された送受信部であって、タグにエネルギーを供給して、タグから送信される信号を受信すると共にタグに向けて信号を送信する送受信部と、ロッカーに固有のロッカー番号などの情報を記憶する記憶部と、ロック機構を制御する制御部であって、タグからロッカー錠装置の送受信部に送信されたタグＩＤ番号を入力し、ロッカーがロックされていないときには、ロッカーのロッカー番号に対応してタグＩＤ番号を記憶部に記憶すると共に、所定の条件を満たす場合にロッカー錠装置のロック機構にロッカーをロックさせ、ロッカーがロックされているときには、入力されたタグＩＤ番号が記憶されているタグＩＤ番号と一致する場合にロッカー錠装置のロック機構にロッカーのロックを解除させる制御部とを具備する。